(57)【要約】【課題】無線通信機器間の通信データを集約または分配する無線中継装置および無線通信の中継方法を提供する。【解決手段】複数の無線通信装置間の無線通信を無線中継装置により中継する。まず一のサービスおよび該サービスに関連付けられる無線通信装置の構成を表す構成情報を無線中継装置に設定しておく。無線通信装置が提供可能なサービスをサービス探索手順に従い探索し、探索されたサービスに関連付けられる無線通信装置を構成情報に基づいて特定すると共に、特定した無線通信装置との接続を開始する。接続を開始した無線通信装置間の無線通信チャネルを集約または分配する。【選択図】    図１
2004320542.tif 000002
【特許請求の範囲】
【請求項１】
複数の無線通信装置間の無線通信を中継する無線中継装置であって、
一のサービスの情報および該サービスを提供する前記無線通信装置の構成情報を設定する設定手段と、
前記無線通信装置が提供可能なサービスを予め定められたサービス探索手順に従い探索するサービス探索手段と、
前記無線通信装置から、前記サービス探索手段により探索されたサービスを提供する無線通信装置を、前記サービス探索手段の探索結果と前記構成情報とに基づいて特定すると共に、該特定した無線通信装置との接続を開始する接続処理手段と、
前記接続処理手段により接続を開始した無線通信装置との間の少なくとも１以上の第１無線通信チャネルを通じて入力された無線通信データを、別の無線通信装置との間の第２無線通信チャネルに出力する無線通信チャネル集約手段と、
を具備することを特徴とする無線中継装置。
【請求項２】
前記第１無線通信チャネルを通じて入力された無線通信データに、前記サービス探索手段により探索されたサービスごとに定められた処理を行う処理手段を具備し、前記処理は、前記無線通信データに対する多重化処理、切り替え処理、シーケンス制御処理、キュー処理のいずれか又はその組み合わせからなることを特徴とする請求項１に記載の無線中継装置。
【請求項３】
複数の無線通信装置間の無線通信を中継する無線中継装置であって、
一のサービスの情報および該サービスを提供する前記無線通信装置の構成情報を設定する設定手段と、
前記無線通信装置が提供可能なサービスを予め定められたサービス探索手順に従い探索するサービス探索手段と、
前記無線通信装置から、前記サービス探索手段により探索されたサービスを提供する無線通信装置を、前記サービス探索手段の探索結果と前記構成情報とに基づいて特定すると共に、該特定した無線通信装置との接続を開始する接続処理手段と、
ある無線通信装置との間の第１無線通信チャネルを通じて入力された無線通信データを、前記接続処理手段により接続を開始した別の無線通信装置との間の少なくとも１以上の第２無線通信チャネルに分配する無線通信チャネル分配手段と、
を具備することを特徴とする無線中継装置。
【請求項４】
前記第１無線通信チャネルを通じて入力された無線通信データに、前記サービス探索手段により探索されたサービスごとに定められた処理を行う処理手段を具備し、前記処理は、前記無線通信データに対する多重化処理、切り替え処理、シーケンス制御処理、キュー処理のいずれか又はその組み合わせからなることを特徴とする請求項３に記載の無線中継装置。
【請求項５】
複数の無線通信装置間の無線通信を無線中継装置により中継する方法であって、
一のサービスの情報および該サービスを提供する前記無線通信装置の構成情報を設定する設定ステップと、
前記無線通信装置が提供可能なサービスを予め定められたサービス探索手順に従い探索するサービス探索ステップと、
前記無線通信装置から、前記サービス探索ステップにおいて探索されたサービスを提供する無線通信装置を、前記サービス探索ステップにおける探索結果と前記構成情報とに基づいて特定すると共に、該特定した無線通信装置との接続を開始する接続処理ステップと、
前記接続処理ステップにおいて接続を開始した無線通信装置との間の少なくとも１以上の第１無線通信チャネルを通じて入力された無線通信データを、別の無線通信装置との間の第２無線通信チャネルに出力する無線通信チャネル集約ステップと、
を具備することを特徴とする無線通信データの中継方法。
【請求項６】
複数の無線通信装置間の無線通信を無線中継装置により中継する方法であって、
一のサービスの情報および該サービスを提供する前記無線通信装置の構成情報を設定する設定ステップと、
前記無線通信装置が提供可能なサービスを予め定められたサービス探索手順に従い探索するサービス探索ステップと、
前記無線通信装置から、前記サービス探索ステップにおいて探索されたサービスを提供する無線通信装置を、前記サービス探索ステップにおける探索結果と前記構成情報とに基づいて特定すると共に、該特定した無線通信装置との接続を開始する接続処理ステップと、
ある無線通信装置との間の第１無線通信チャネルを通じて入力された無線通信データを、前記接続処理ステップにおいて接続を開始した別の無線通信装置との間の少なくとも１以上の第２無線通信チャネルに分配する無線通信チャネル分配ステップと、
を具備することを特徴とする無線通信データの中継方法。
【発明の詳細な説明】
【０００１】
【発明の属する技術分野】
本発明は無線通信装置および方法に関し、具体的には無線通信機器間の通信データを集約または分配する中継装置および無線通信の中継方法に関する。
【０００２】
【従来の技術】
Ｂｌｕｅｔｏｏｔｈ  ＳＩＧ（Ｓｐｅｃｉａｌ  Ｉｎｔｅｒｅｓｔ  Ｇｒｏｕｐ）によって規格化されているブルートゥース（Ｂｌｕｅｔｏｏｔｈ；商標）と呼ばれる無線通信方式の仕様（下記非特許文献１参照）では、２．４ＧＨｚ帯（ＩＳＭ（Ｉｎｄｕｓｔｒｉａｌ，  Ｓｃｉｅｎｔｉｆｉｃ，  Ｍｅｄｉｃａｌ）帯とも呼ばれる）の無線周波数を用いる無線通信リンクを規定している。この無線通信リンクのプロトコルはタイムスロットをベースとしており、ブルートゥース機器間におけるリアルタイムでの音声およびデータ通信が可能となっている。
【０００３】
携帯電話機やＰＤＡ（Ｐｅｒｓｏｎａｌ  Ｄｉｇｉｔａｌ  Ａｓｓｉｓｔａｎｔ）、ヘッドセット等の携帯型機器、パーソナルコンピュータ（ＰＣ）の周辺機器、ならびに車載機器やデジタル家電機器など、ブルートゥース機器はこれまでに多くの製品が提供されている。これらブルートゥース機器は、他のブルートゥース機器との間の接続を基本的に一対一とすることを前提として構成されているものが多い。シリアル通信をエミュレートするＲＦＣＯＭＭなどのプロトコルがその一例である。必要なときに必要な相手機器とその場限りの接続を自動的に確立する、いわゆるアドホック（ａｄ  ｈｏｃ）と呼ばれる接続形態もブルートゥースの特徴の一つである。
【０００４】
一対一の接続形態（ネットワークトポロジ）はシンプルでありネットワーク全体の処理負荷を軽減できる反面、多対多の接続形態であれば何ら問題なく実現できるサービスを実現できない場合がある。例えば、電子的なプレゼンテーションの資料をオンラインで配布するといった目的で同時に多人数に相当する相手機器と無線接続を行うことは、当然ながら一対一の接続形態ではできない。この場合、まず一台の相手機器と接続して所要の操作を行い、この相手機器との接続を終了した後に別の相手機器の一台と接続し、同じ操作をこの相手機器と行い、所要の相手機器の全てについて作業を繰り返さねばならない。また、あるブルートゥース機器間で接続が行われている最中に他の接続をその機器に割り込ませたいといったことはできず、このためには現在の接続をいったん終了しなければならない。
【０００５】
また、例えば同一のピコネット内で複数のブルートゥース機器が各々関連する複数のサービス提供を行っている場合、サービス提供を受ける一台のブルートゥース機器においては、この関連する複数のサービスを同時に利用することはできないし、あるサービスの利用中にその状態を維持したまま別のサービスに一時的に切り替えること、言い替えれば別のサービスを割込み的に利用することもできない。
【０００６】
【非特許文献１】
インターネット＜ＵＲＬ：ｈｔｔｐ：／／ｗｗｗ．ｂｌｕｅｔｏｏｔｈ．ｏｒｇ＞
【０００７】
【発明が解決しようとする課題】
本発明は無線通信機器間の通信データを集約または分配する無線中継装置および無線通信の中継方法を提供することを目的とする。
【０００８】
【課題を解決するための手段】
本発明の一観点に係る無線中継装置は、複数の無線通信装置間の無線通信を中継する無線中継装置であって、一のサービスの情報および該サービスを提供する前記無線通信装置を特定するための構成情報を設定する設定手段と、前記無線通信装置が提供可能なサービスを予め定められたサービス探索手順に従い探索するサービス探索手段と、前記無線通信装置から、前記サービス探索手段により探索されたサービスを提供する無線通信装置を、前記サービス探索手段の探索結果と前記構成情報とに基づいて特定すると共に、該特定した無線通信装置との接続を開始する接続処理手段と、前記接続処理手段により接続を開始した無線通信装置との間の少なくとも１以上の第１無線通信チャネルを通じて入力された無線通信データを、別の無線通信装置との間の第２無線通信チャネルに出力する無線通信チャネル集約手段と、を具備する。
【０００９】
本発明の他の観点に係る無線中継装置は、複数の無線通信装置間の無線通信を中継する無線中継装置であって、一のサービスの情報および該サービスを提供する無線通信装置を特定するための構成情報を設定する設定手段と、前記無線通信装置が提供可能なサービスを予め定められたサービス探索手順に従い探索するサービス探索手段と、前記無線通信装置から、前記サービス探索手段により探索されたサービスを提供する無線通信装置を、前記サービス探索手段の探索結果と前記構成情報とに基づいて特定すると共に、該特定した無線通信装置との接続を開始する接続処理手段と、ある無線通信装置との間の第１無線通信チャネルを通じて入力された無線通信データを、前記接続処理手段により接続を開始した別の無線通信装置との間の少なくとも１以上の第２無線通信チャネルに分配する無線通信チャネル分配手段と、を具備する。
【００１０】
【発明の実施の形態】
以下、図面を参照しながら本発明の実施形態を説明する。図１は複数台からなるブルートゥース機器の接続形態（ネットワークトポロジ）を示す図である。Ｍ台のブルートゥース・ターゲット機器１，２，．．．Ｍと、Ｎ台のブルートゥース・ターゲット機器１，２，．．．Ｎとの間に本発明の一実施形態に係るブルートゥース中継装置（以下、単に「中継装置」という）１０が介在している。中継装置１０は、ターゲット機器１〜Ｍの各々との間のＬ２ＣＡＰ（Ｌｏｇｉｃａｌ  Ｌｉｎｋ  Ｃｏｎｔｒｏｌ  ａｎｄ  Ａｄａｐｔａｔｉｏｎ  Ｐｒｏｔｏｃｏｌ；論理リンク制御および適合プロトコル）チャネルおよびソース機器１〜Ｎの各々との間のＬ２ＣＡＰチャネルを集約し、あるいは分配する。また、中継装置１０はブルートゥース通信のＱｏＳ（Ｑｕａｌｉｔｙ  ｏｆ  Ｓｅｒｖｉｃｅ）を制御する。
【００１１】
このような本実施形態の中継装置１０は、複数のサービスを同時にあるいは割込み的に利用できるようにブルートゥース通信を中継する目的で設けられる無線中継装置である。中継装置１０をブルートゥース機器間に介在させることの意義の一つに、ブルートゥース通信におけるマスタのロール（役割）が挙げられる。ブルートゥース通信では、パーソナルコンピュータ（ＰＣ）やＰＤＡなど比較的高機能を備えた機器にマスタのロールを与えるとされ、ヘッドセットなど必ずしも高機能ではない携帯機器等はマスタになれない場合がある。このようにマスタになれない機器とそうではない機器とがネットワーク内で混在するような状況下において、どの機器からでも柔軟にブルートゥース通信を開始（問い合わせ；Ｉｎｑｕｉｒｙから始まる）してサービスを利用できるようにするために、中継装置１０はマスタのロールを実行可能なように構成されている。なお、接続開始後にロールスイッチ（具体的には、ＨＣＩ（Ｈｏｓｔ  Ｃｏｎｔｒｏｌｌｅｒ  Ｉｎｔｅｒｆａｃｅ）のロールスイッチ）を行えるよう構成してもよい。ある実施形態では、ヘッドセット等の携帯型機器と、携帯性を持たせるよう構成した中継装置との２つのブルートゥース機器を同一のユーザが携帯して使用する。この実施形態から容易に理解されるように、既存のブルートゥース機器をそのまま用いる際のサービスの利便性を向上できる。
【００１２】
図２はＬ２ＣＡＰチャネルの集約（Ａｇｇｒｅｇａｔｉｏｎ）の一例を示している。この例では、ブルートゥース・ソース機器１との間のＬ２ＣＡＰチャネルとブルートゥース・ソース機器２との間のＬ２ＣＡＰチャネルとを中継装置１０がブルートゥース・ターゲット機器Ｍへの単一のＬ２ＣＡＰチャネルに集約している。中継装置１０によるＬ２ＣＡＰチャネルの集約によれば、ブルートゥース・ターゲット機器Ｍから見た他機器との接続は一つとなる。中継装置１０は、複数のＬ２ＣＡＰチャネルを単一のＬ２ＣＡＰチャネルに集約する際には、個々のサービスにおけるデバイス情報を表すコンフィグレーション
（構成）情報に基づいてＬ２ＣＡＰパケットの処理を行う。すなわちこの処理の内容は、サービス（アプリケーション）に依存する。
【００１３】
図３はＬ２ＣＡＰチャネルの分配（Ｄｉｓｔｒｉｂｕｔｉｏｎ）の一例を示している。分配は集約の対となる概念であり、この例では、ブルートゥース・ソース機器２の単一のＬ２ＣＡＰチャネルを中継装置１０がブルートゥース・ターゲット機器２へのＬ２ＣＡＰチャネルとブルートゥース・ターゲット機器ＭへのＬ２ＣＡＰチャネルとにに分配している。中継装置１０は、単一のＬ２ＣＡＰチャネルを複数のＬ２ＣＡＰチャネルに分配する際には、上記の集約の場合と同様に、コンフィグレーション情報に基づくＬ２ＣＡＰパケットの処理を行う。この処理の内容もサービス（アプリケーション）に依存する。
【００１４】
中継装置１０における以上のようなＬ２ＣＡＰチャネルの中継制御は、公知のＬ２ＣＡＰ処理を基礎として実現することができる。Ｌ２ＣＡＰ（論理リンク制御および適合プロトコル）については、Ｂｌｕｅｔｏｏｔｈ  ＳＩＧに規定の仕様を参考にすることができる。
【００１５】
図４は、本発明の一実施形態に係るブルートゥース中継装置１０の機能構成を示すブロック図である。同図示すように中継装置１０はＬ２ＣＡＰレイヤ部１０１、ＳＤＰ（Ｓｅｒｖｉｃｅ  Ｄｉｓｃｏｖｅｒｙ  Ｐｒｏｔｏｃｏｌ）部１０２、ブルートゥースモジュール部（Ｂｌｕｅｔｏｏｔｈ  Ｍｏｄｕｌｅ）１０３、制御部（Ｃｏｎｔｒｏｌ）１０５を有する。Ｌ２ＣＡＰレイヤ部１０１は、集約／分配／ＱｏＳモジュール部（Ａｇｇｒｅｇａｔｉｏｎ／Ｄｉｓｔｒｉｂｕｔｉｏｎ／ＱｏＳ  Ｍｏｄｕｌｅｓ）１０６を有する。このモジュール部１０６の構成要素を図６〜図９に示す。また、制御部１０５はコンフィグレーション情報（Ｃｏｎｆｉｇｕｒａｔｉｏｎ）１０４を有する。コンフィグレーション情報１０４は不揮発性メモリやハードディスク装置等の記憶手段に記憶保持される。
【００１６】
Ｌ２ＣＡＰレイヤ部１０１は、制御部１０５からの制御の下にＬ２ＣＡＰレイヤでの接続処理ならびに集約および分配およびＱｏＳに係るＬ２ＣＡＰチャネルの管理を担う部分であり、ＨＣＩを通じてブルートゥースモジュール部１０３にアクセスし、Ｌ２ＣＡＰパケットのデータを受け渡しする。集約および分配およびＱｏＳに係る処理では、コンフィグレーション情報に基づいて集約／分配／ＱｏＳモジュール部１０６の構成を動的に変化させ、サービス（アプリケーション）毎で必要となる処理を行う。
【００１７】
ＳＤＰ部１０２は、制御部１０５からの制御の下にピコネット内でブルートゥース機器が提供する機能やサービスについての問い合わせをサービス探索プロトコル（Ｓｅｒｖｉｃｅ  Ｄｉｓｃｏｖｅｒｙ  Ｐｒｏｔｏｃｏｌ）に従って行う。この探索により発見されたサービスに関する情報は制御部１０５において保持される。
【００１８】
ブルートゥースモジュール部１０３は、主にＨＣＩよりも下位のレイヤ（リンク管理（ＬＭ）レイヤや物理レイヤ等を含む）の処理を担う部分である。ブルートゥースモジュール部１０３は、制御部１０５からの制御の下にピコネット内（近距離内）に存在するブルートゥース機器（デバイス）の存在を知るための問い合わせ（Ｉｎｑｕｉｒｙ）を行う。発見したデバイスに関する情報は制御部１０５において保持される。
【００１９】
制御部１０５は上記中継装置１０の各構成要素を統括制御する部分であり、プロセッサおよびメモリ等の記憶手段からなる。
【００２０】
以上のように構成された本実施形態に係る中継装置による接続シーケンスの一例を図５のフローチャートに従って説明する。
【００２１】
まずステップＳ１において、コンフィグレーション情報１０４の設定を行う。これは、設定画面等を通じて人手により行われてもよいし、可能であれば自動処理により行ってもよい。コンフィグレーション情報１０４は、制御部１０５において管理される。
【００２２】
コンフィグレーション情報１０４は、サービス毎に、そのサービスに関連付けられるブルートゥース機器（デバイス）の構成を表す情報に相当する。サービスに関連付けられるブルートゥース機器とは、該サービスの実行にあたり中継装置１０に接続される可能性のあるブルートゥース機器のことをいう。コンフィグレーション情報１０４によれば、サービスごとに、そのサービスに関連付けられるブルートゥース機器を特定することができる。
【００２３】
具体的には、コンフィグレーション情報１０４は例えば次のような情報から構成される。すなわち、ＰＳＭ（Ｐｒｏｔｏｃｏｌ／Ｓｅｒｖｉｃｅ  Ｍｕｌｔｉｐｌｅｘｏｒ）の値、デバイスのブルートゥースアドレス、ＰＩＮコード、ＨＣＩロールスイッチの可否、各ＰＳＭまたはブルートゥースアドレスに対するＬ２ＣＡＰデータの入出力方向（入力のみ、出力のみ、あるいはその両者）、優先度、および集約／分配／ＱｏＳモジュール部１０６で使用されるモジュールの型などを組み合わせた情報である。このうち、ブルートゥースアドレスおよびＨＣＩロールスイッチの可否については必須ではない。また、ＰＳＭはＳＤＰにおいてサービスを一意に表す情報として用いる。
【００２４】
コンフィグレーション情報１０４が適切に設定されていることを前提に、次のステップＳ２では、近隣デバイスの探索を行う。これは制御部１０５からの指示に応じてブルートゥースモジュール部１０３が問い合わせ（Ｉｎｑｕｉｒｙ）のメッセージを発信することにより行われる。この探索により幾つかのブルートゥース機器（デバイス）が発見されたら、上述したようにそのデバイスに関する情報は制御部１０５において保持される。続いて、ＳＤＰ部１０２がサービス探索プロトコルに従ってサービス探索を行う。ここで発見されたサービスに関する情報についてもその情報が制御部１０５に保持される。
【００２５】
サービスを開始するにあたっては、ステップＳ３においてまず制御部１０５がＬ２ＣＡＰレイヤ部１０１に対し接続処理を開始するよう指示する。ここでＬ２ＣＡＰレイヤ部１０１は、制御部１０５に保持されているコンフィグレーション情報１０４を参照し、同情報１０４において示される既に発見されたデバイスを特定し、接続要求を発行する（Ｃｏｎｎｅｃｔｉｏｎ  Ｒｅｑｕｅｓｔ）。なお、接続を行うデバイスの順番は任意としてもよい。また、本実施形態の中継装置１０はＬ２ＣＡＰの通信を終端する、つまりＬ２ＣＡＰのコンフィグレーション要求（Ｃｏｎｆｉｇｕｒａｔｉｏｎ  Ｒｅｑｕｅｓｔ）を転送するといった処理は行わないものとする。
【００２６】
上述したように、このステップＳ３において接続を開始する中継装置１０はマスタロールを有する。言い替えれば、マスタとなるために中継装置１０が起点となって他のブルートゥース機器に対する接続を開始する。なお、ロールスイッチをしながら接続可能な装置についてはこの限りではない。
【００２７】
ステップＳ３における接続処理が完了すると、ブルートゥース機器間でサービス（アプリケーション）のデータの通信が始まる。デバイスに対する入出力のデータはブルートゥースモジュール部１０３からＬ２ＣＡＰレイヤ部１０１に与えられる。Ｌ２ＣＡＰレイヤ部１０１はコンフィグレーション情報１０４に基づいて入力のデータと出力のデータとを適宜振り分けて集約／分配／ＱｏＳモジュール部１０６に送る。集約／分配／ＱｏＳモジュール部１０６は、サービス（アプリケーション）に依存する必要な処理を実現するために内部のモジュールを動的に組み合せ、入出力のデータ、具体的にはＬ２ＣＡＰのパケットを処理する。
【００２８】
図６〜図９はＬ２ＣＡＰの集約において利用可能な幾つかの処理モジュールの例を示している。図６に示すものはミキサーモジュール（Ｍｉｘｅｒ  Ｍｏｄｕｌｅ）２０１であり、複数のＬ２ＣＡＰデータの入力を多重化して単一の出力を得る際に用いられる。図７に示すものはトグルスイッチ（Ｔｏｇｇｌｅ  Ｓｗｉｔｃｈ）２０２であり、複数のＬ２ＣＡＰデータの入力のうちいずれかを選択して出力する際に用いられる。図８に示すものはシーケンサーモジュール（Ｓｅｑｕｅｎｃｅｒ  Ｍｏｄｕｌｅ）２０３であり、所定の手順に従って入力を順番に選択して出力する。図９に示すものはキュー（Ｑｕｅｕｅ）２０４であり、まとまったデータ単位を得るためにバッファリングする。
【００２９】
Ｌ２ＣＡＰレイヤ部１０１の主に集約／分配／ＱｏＳモジュール部１０６の働きによって論理チャネル制御を受けたＬ２ＣＡＰデータは、ブルートゥースモジュール１０３により相手機器との間で無線送受信される。
【００３０】
そしてステップＳ５においてブルートゥース通信の切断可否を判断する。まだ切断しない場合はステップＳ４に戻って処理を継続する。ステップＳ６において切断処理を行う場合、例えば入力に関して最も優先度の高いデバイスが切断するとき、このデバイスに関して中継装置１０が維持している他のデバイスとの通信を全て切断する。デバイスの優先度に関してはコンフィグレーション情報１０４を参照することができる。
【００３１】
以上説明した本発明の実施形態によれば、例えば同一のピコネット内で複数のブルートゥース機器が各々関連する複数のサービス提供を行っている場合、サービス提供を受ける一台のブルートゥース機器においてこの関連する複数のサービスを同時に利用することができるようになる。また、あるサービスの利用中にその状態を維持したまま別のサービスに一時的に切り替える（別のサービスを割込み的に利用する）といったこともできる。
【００３２】
（アプリケーションの例）  ブルートゥース機器（デバイス）は良く知られているように多種多様である。本発明は各種ブルートゥース機器と、上述したようにマスタになれない比較的低機能のブルートゥース機器との間に介在する中継装置として実施可能であり、実装するアプリケーションも多岐にわたるものである。例えば、ヘッドセットや携帯電話機、音声処理機能を備えた各種ＡＶ（Ａｕｄｉｏ／Ｖｉｄｅｏ）機器を用い、主音声と副音声との切り替え等の機能を有するアプリケーションを実現することが考えられる。
【００３３】
また、メモリーにＭＰ３，ＡＴＡＲＡＣ３，ＴｗｉｎＶＱなどの方法で音楽データを圧縮して収録したものを再生する半導体オーディオプレーヤー（例えばｐｏｒｔａｂｌｅ  ＭＰ３  ｐｌａｙｅｒ，  ｄｏｗｎｌｏａｄａｂｌｅ  ＭＰＥＧ  ａｕｄｉｏ  ｐｏｒｔａｂｌｅ  ｐｌａｙｅｒなど）や、携帯電話機等のデバイスにより音楽データを視聴している際に、街角等に設置されたホットスポットのデバイスからのアナウンスを挿入したり、電話の着信による割込みを行うといったアプリケーションを本発明を利用して実現することもできる。
【００３４】
また、カラオケ装置等の映像音声機器において文字情報と映像情報とを多重化したり、電子会議システムにおいてプレゼンテーション資料や会議音声等の電子情報を無線通信により配信（配布）するといったアプリケーションも考えられる。
【００３５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００３６】
【発明の効果】
以上説明したように本発明によれば、無線通信機器間の通信データを集約または分配する無線中継装置および無線通信の中継方法を提供できる。
【図面の簡単な説明】
【図１】本発明の一実施形態に係るブルートゥース機器の接続形態（ネットワークトポロジ）を示す図
【図２】上記実施形態に係るＬ２ＣＡＰチャネルの集約（Ａｇｇｒｅｇａｔｉｏｎ）の一例を示す図
【図３】上記実施形態に係るＬ２ＣＡＰチャネルの分配（Ｄｉｓｔｒｉｂｕｔｉｏｎ）の一例を示す図
【図４】上記実施形態に係るブルートゥース中継装置の機能構成を示すブロック図
【図５】上記実施形態に係る中継装置による接続シーケンスの一例を示すフローチャート
【図６】上記実施形態に係るミキサーモジュールを示す図
【図７】上記実施形態に係るトグルスイッチを示す図
【図８】上記実施形態に係るシーケンサーモジュールを示す図
【図９】上記実施形態に係るキューを示す図
【符号の説明】
１，２，Ｍ，Ｎ…ブルートゥース機器（ソースまたはターゲット）、１０…ブルートゥース中継装置、１０１…Ｌ２ＣＡＰレイヤ部、１０３…ブルートゥースモジュール部、１０４…コンフィグレーション情報、１０５…制御部、１０６…集約／分配／ＱｏＳモジュール部、２０１…ミキサーモジュール、２０２…トグルスイッチ、２０３…シーケンサーモジュール、２０４…キュー
【図１】
2004320542.tif 000003
【図２】
2004320542.tif 000004
【図３】
2004320542.tif 000005
【図４】
2004320542.tif 000006
【図５】
2004320542.tif 000007
【図６】
2004320542.tif 000008
【図７】
2004320542.tif 000009
【図８】
2004320542.tif 000010
【図９】
2004320542.tif 000011